(57)【要約】【課題】ガイドレール部等を必要としない遮光体であって、フロントガラス周りを煩雑とせず、比較的容易に取り外しが可能である遮光体を提供する。【解決手段】遮光シート８を幅方向で係止する係止部２と、遮光シート８の一端に貼付される補助シート３と、補助シート３の中央部付近に設けられる保持部５と、を有する遮光体１であり、この遮光シート８は、所定間隔で屈曲された蛇腹状であるから、容易に折畳んだり展開したりすることができ、使用者は容易に遮光体１を取り扱うことができる。【選択図】図１
2008285061.tif 000002
【特許請求の範囲】
【請求項１】
山折線と谷折線とが交互に形成されて所定間隔で折曲された蛇腹状の遮光シートと、
前記遮光シートを幅方向で係止する係止部と、
前記遮光シートに設けられ、他の遮光シートと着装される着装部と、
を有することを特徴とする遮光体。
【請求項２】
前記遮光シートの一端に補助シートを貼付し、前記遮光シートの一端と前記補助シートとの間に、着装部を設けることを特徴とする請求項１記載の遮光体。
【請求項３】
前記遮光シートの一端に補助シートを貼付し、前記遮光シートの一端と前記補助シートとの間に、補強板を設けることを特徴とする請求項１記載の遮光体。
【請求項４】
前記係止部は、
前記遮光シートの幅方向と略同一の長さを一辺とするＬ字型で形成され、
この一辺が当該遮光シートの幅方向に対応しており、
この一辺と他の一辺とによって、遮光シートを幅方向で係止することを特徴とする請求項１から３のいずれか記載の遮光体。
【発明の詳細な説明】
【技術分野】
【０００１】
本発明は、自動車のフロントガラス等の室内側に設置され、必要に応じて自動車のフロントガラス等を遮光及び遮光解除自在な遮光体に関する。
【背景技術】
【０００２】
一般に、日射の強い時期に、自動車を屋外に駐車等すると、自動車の室内は、フロントガラス等から入射する太陽光を吸収して高温となる。特に、気温の高い夏季等では、エンジンを切り冷房を停止したまま屋外に駐車すると、車内が高温となり、乗車する人に不快感を与えるばかりでなく、熱に弱いもの（たとえば、生もの、ゴム製品等）を変質及び変形させる原因となる。また、夏季等でなくても、フロントガラス等から入射する太陽光が直接物体に当たることにより、物体等を変質等させる原因となる。
【０００３】
そこで、上記弊害を解消すべく、従来から、自動車用日除けシートが用いられている（例えば特許文献１）。この種の自動車用日除けシートは、左右一対のガイドレール部間に、ガイド部を介して、遮光シートを張り渡す。そして、遮光シートの上側縁の保持棒を保持部に係止することにより、遮光シートをフロントガラスの略全面を覆うよう両ガイドレール部間に略展開状態で張り渡す。一方、保持棒を保持部から取外し、遮光シートのフロントガラスの上側縁の近傍位置への保持を解除することにより、遮光シートをガイド部を介してガイドレール部に沿って下方に移動案内して折畳む。
【０００４】
【特許文献１】登録実用新案公報第３１０７８８２号（図１）
【発明の開示】
【発明が解決しようとする課題】
【０００５】
しかし、上記の遮光体では、左右一対のガイドレール部間に、ガイド部を介して遮光シートを張り渡すところ、必ずガイドレール部が必要である。このガイドレール部は、自動車のフロントガラスの室内側に固定的に設置される。また、遮光シートは、ガイド部を介してガイドレールに沿って下方に移動案内して折畳む。したがって、遮光体を使用しないときには、折畳まれた遮光シートがフロントガラスの室内側に存在することとなる。
【０００６】
上記のように、遮光体を使わないときにも、フロントガラスの左右及び下縁にガイドレール及び折畳まれた遮光シートが存在することになり、フロントガラス周りが煩雑となる。また、ガイドレール部を固定的に設置するところ、その取り外しが難しく、遮光体を使わない時期であっても、常にガイドレール部を固定する必要がある。
【０００７】
本発明は、このような点に鑑みてなされたものであり、その目的は、ガイドレール部等を必要としない遮光体であって、フロントガラス周りを煩雑とせず、比較的容易に取り外しが可能である遮光体を提供することにある。
【課題を解決するための手段】
【０００８】
以上のような課題を解決するために、本発明は、以下のものを提供する。
【０００９】
（１）  山折線と谷折線とが交互に形成されて所定間隔で折曲された蛇腹状の遮光シートと、前記遮光シートを幅方向で係止する係止部と、前記遮光シートに設けられ、他の遮光シートと装着される装着部と、を有することを特徴とする遮光体。
【００１０】
本発明によれば、遮光体には、所定間隔で屈曲された蛇腹状の遮光シートと、遮光シートを幅方向で係止する係止部と、が設けられている。この遮光シートは、所定間隔で屈曲された蛇腹状であるから、容易に折畳んだり展開したりすることができ、使用者は容易に遮光体を取り扱うことができる。
【００１１】
また、係止部を有することにより、遮光シートは所定間隔で折曲された状態で係止部により係止されるので、遮光体を折畳んだ状態に保つことができる。したがって、遮光体を使用しない際には、折畳んだ状態で保つことができる。一方、この遮光体は、係止部による幅方向での遮光シートの係止を解除することにより、折曲された状態を展開することができる。よって、略展開状態で張り渡すことで、太陽光を遮光することができる。
【００１２】
また、本発明によれば、遮光シートの表面には、他の遮光シートと装着される装着部が設けられており、上記略展開状態で張り渡す際に他の遮光シートの表面の一部又は全部と装着することができ、より大きな遮光体を提供することができる。
【００１３】
（２）  前記遮光シートの一端に補助シートを貼付し、前記遮光シートの一端と前記補助シートとの間に、前記装着部を設けることを特徴とする遮光体。
【００１４】
本発明によれば、遮光シートの一端に遮光シートよりも硬い補助シートを貼付したので、遮光シートの一端が補強され、遮光シートの一端が縦方向（長手方向）に折れ曲がるのを防ぐことができ、遮光体を効果的に作用させることができる。
【００１５】
また、本発明によれば、遮光シートの一端と補助シートとの間に装着部を設けることとしたので、装着部が他の遮光シートと装着することにより、２つの遮光シートをその一端により組み合わせることができ、より面積の大きい遮光体を提供できる。そのため、二つの遮光体を組み合わせることで、フロントガラス全体を覆うことのできる遮光体を提供できる。
【００１６】
（３）  前記遮光シートの一端に補助シートを貼付し、前記遮光シートの一端と前記補助シートとの間に、補強板を設けることを特徴とする遮光体。
【００１７】
本発明によれば、遮光シートと補助シートとの間に遮光シート及び補助シートよりも硬い補強板が設けられており、遮光シートの一端及び補助シートが補強され、遮光シート及び補助板が縦方向（長手方向）に折れ曲がることを防ぐことができ、及び耐久性のある遮光体を提供することができる
【００１８】
（４）  前記係止部は、前記遮光シートの幅方向と略同一の長さを一辺とするＬ字型で形成され、この一辺が当該遮光シートの幅方向に対応しており、この一辺と他の一辺とによって、遮光シートを幅方向で係止することを特徴とする遮光体。
【００１９】
本発明によれば、係止部はL字型で形成されていて、一辺が遮光シートの幅方向に対応しているため、この一辺と他の一辺とで遮光シートを幅方向で係止することにより、遮光体を折畳んだ状態に保つことが可能となる。したがって、遮光しない場合には遮光体を小さく折畳み、その状態を保つことができ、コンパクトでフロントガラス周りを煩雑としない遮光体を提供することができる。
【発明の効果】
【００２０】
以上説明したように、本発明は、フロントガラス周りを煩雑とせず、比較的容易に取り外しが可能である遮光体を提供することができる。
【発明を実施するための最良の形態】
【００２１】
以下、本発明を実施するための最良の形態について、図面に基づいて説明する。
【００２２】
図１は、本発明の実施の形態に係る遮光体１を示すである。
【００２３】
図１において、本発明の実施の形態に係る遮光体１は、遮光シート８を幅方向で係止する係止部２と、遮光シート８の一端に貼付される補助シート３と、補助シート３の中央部付近に設けられる保持部５と、を有する。
【００２４】
遮光シート８は、太陽光を反射する素材でできており、この素材ははさみ等で切り取ることが可能である。したがって、遮光シート８は、その長さを自由に調節でき、遮光シート８の全長より短ければどのような長さのフロントガラスにも対応できる。
【００２５】
また、遮光シート８は所定間隔で屈曲可能な蛇腹状であるから、容易に折畳んだり展開したりでき、遮光体１は容易に操作することができる。
【００２６】
係止部２は、Ｌ字型で形成されていて、一辺が遮光シート８の幅方向に対応しているため、この一辺と他の一辺により遮光シート８を幅方向で係止することができる。したがって、図１のように、遮光体１を折畳んだ状態で保つことができ、遮光体１を使用しない際にはコンパクトに保てるので、フロントガラス周りが煩雑とならない。
【００２７】
一方、この遮光体１は、係止部２による幅方向での遮光シート８の係止を解除することにより、折曲された状態を展開することができ、略展開状態で張り渡すことができる。そのため、車内に入ってくる太陽光を遮光することができる。
【００２８】
補助シート３は、遮光シート８よりも硬い素材で形成され、遮光シート８の一端に貼付される。したがって、遮光体１がフロントガラス等に取り付けられる際に、遮光シート８の端部が縦方向（長手方向）に折れ曲がることを防ぐ。なお、補助シート３は、遮光シート８と縦方向（長手方向）の長さを略同一としており、遮光体１を展開した際には、この遮光シートの一端を縦方向（長手方向）に支える支柱のような役割を果たすことができる。したがって、展開状態の際に、遮光シート８がしっかりと張り渡されるので、遮光体１は効果的に太陽光を遮光することができる。
【００２９】
保持部５は、長方形型で全体が緩やかにカーブしており、補助シート３の中央部付近に設けられる。保持部５は、指で保持し易いように表面が波打つように凹凸面が形成されており、保持部を保持して遮光シート８に力を加えることができ、遮光体１を展開状態にしたり折畳んだりすることができる。したがって、使用者は、容易に遮光体１を操作することができる。
【００３０】
図２は、本発明の実施の形態に係る遮光体１の展開状態における図であり、図２（ａ）は表側を、図２（ｂ）は裏側を示す図である。
【００３１】
図２において、本発明の実施の形態に係る遮光体１は、係止部２と、保持部５と、遮光シート８の一端と補助シート３との間に設けられた装着部６と、遮光シート８の一端と補助シート３との間に設けられた補強板７と、を有する。
【００３２】
装着部６は、遮光シート８の一端と補助シート３との間に設けられており、遮光シート８及び補助シート３の横方向と略同一の長さを一辺とする、長方形の磁性体で形成される。そのため、装着部６は、他の遮光体の補助シートと磁力により装着することができる。したがって、２つの遮光体を組み合わせることにより、より面積の広い遮光体を提供することができる。なお、装着部６の磁力はそれほど強くなく、補助シートとの装着は比較的容易に乖離することができる。したがって、使用者は、二つの遮光体の組み合わせを容易に乖離することができる。
【００３３】
補強板７は、遮光シート８の一端と補助シート３との間に設けられており、遮光シート８及び補助シート３よりも硬い素材で形成される。したがって、遮光シート８及び補助シート３を、縦方向（長手方向）に折れ曲がらないように補強することができる。また、補助シート３が縦方向（長手方向）に折れ曲がることを防ぐため、補助シート３の耐久性を高めることができる。
【００３４】
さらに、補強板７は、その一辺の長さが遮光シート８及び補助シート３の横方向よりも若干短い長さであり、縦方向（長手方向）は遮光シート８及び補助シート３よりも短いので、遮光シート８及び補助シート３の間に全体を挟み込むことができる。
【００３５】
図３は、本発明の実施の形態に係る遮光体１の係止部２を示す図である。
【００３６】
係止部２は、Ｌ字型で形成されており、遮光シート８の幅方向に対応する一辺２Ｂと、他の二辺２Ａ、２Ｃを有する。
【００３７】
係止部２は、一辺２Ａと他の一辺２Ｃで遮光シート８を表面と裏面から挟み、遮光シート８を幅方向で係止することができる。したがって、遮光シート８を折畳んだ状態に保つことが可能となる。そのため、遮光体１を使用しない際には、遮光体１をコンパクトに保てるので、フロントガラス周りが煩雑とならない。
【００３８】
一方、係止部２の辺２Ａが、遮光シート８の横方向に比べて短いことから、遮光シート８の係止は容易に解除できる。したがって、遮光シート８は容易に展開することができる。一方、遮光シート８を折畳む際も、辺２Ａが遮光シート８の横方向に比べて短いことから、当該折畳む操作は容易に行うことができる。したがって、使用者は、遮光体１の操作を容易に行うことができる。
【００３９】
図４は、本発明の実施の形態に係る遮光体１の固定部４を示す図である。
【００４０】
固定部４は、遮光シート８の幅方向と略同一の長さを一辺とするＬ字型で形成され、その一辺には、フロントガラス等に装着可能な素材が付着している。したがって、その一辺によって、遮光体１をフロントガラス等に固定することができる。なお、当該装着可能な素材は、例えば両面テープなどで形成されるため、ねじ等を用いて固定しておらず、ひいては遮光体１が容易に取り付け及び取り外し可能となる。
【００４１】
また、遮光シート８の幅方向と略同一の長さである一辺は、遮光シート８の一端を横方向で挟むことのできる構造になっている。すなわち、固定部４の二辺４Ｆ、４Ｇで遮光シート８の裏面を挟み込むことができる。したがって、固定部４を、遮光シート８に取り付けることが可能である。なお、一辺４Ｇは、一方端部がやや一辺４Ｆ方向に傾いており、その結果、一辺４Ｇは全体として一辺４Ｆ方向にしなっている。したがって、一辺４Ｆと一辺４Ｇとで遮光シート８の裏面をしっかりと挟み込むこみ、固定部４から遮光シート８が自然に外れることを防止する。さらに、固定部４は、遮光シート８を面４Ｆと面４Ｇとで挟み込んでいるにすぎず、ねじやガイド部を介して取り付けている訳ではない。したがって、固定部４は、遮光シート８から容易に取り外すことができる。
【００４２】
また、面４Ｆは、その中央付近が空洞とすることにより、固定部４の重量を減少させている。また、一辺４Ｇが一辺４Ｆ側にしなっていることから、遮光シート８が一辺４Ｇに押され、当該空洞部でわずかに屈折する。したがって、固定部４を遮光シート８へしっかりと固定することができる。
【００４３】
さらに、固定部４は、遮光シート８に複数取り付けることで、遮光シート８のフロントガラス等への固定が安定したものとなる。
【００４４】
図５は、本発明の実施の形態に係る遮光体１を用いて太陽光を遮光する様子を説明するための図である。
【００４５】
図５において、遮光体１及び遮光体１'は、フロントガラスの内部に、保持部５及び５'を有する一端を互いに向かい合わせるようにして設置する。そうすることで、遮光体１及び１'の一端にある装着部により互いに装着でき、二つの遮光体を組み合わせることにより、フロントガラス全体を覆う遮光体を提供することができる。
【産業上の利用可能性】
【００４６】
本発明に係る遮光体は、太陽光が車内に入り込むのを防ぎ、フロントガラス周りを煩雑とせず、容易に取り外しができるものとして有用である。
【図面の簡単な説明】
【００４７】
【図１】本発明の実施の形態に係る遮光体を示す斜視図である。
【図２】本発明の実施の形態に係る遮光体の遮光シートの展開状態を示す図である。
【図３】本発明の実施の形態に係る遮光体の係止部を示す図である。
【図４】本発明の実施の形態に係る遮光体の固定部を示す図である。
【図５】本発明の実施の形態に係る遮光体を用いて太陽光を遮光する様子を説明するための図である。
【符号の説明】
【００４８】
１  遮光体
１'  他の遮光体
２  係止部
３  補助シート
４  固定部
５  保持部
６  装着部
７  補強板
８  遮光シート
【図３】
2008285061.tif 000003
【図１】
2008285061.tif 000004
【図２】
2008285061.tif 000005
【図４】
2008285061.tif 000006
【図５】
2008285061.tif 000007